(57)【特許請求の範囲】
【請求項１】
１対の把持材と、バネと、取付け部とを有し、
各把持材は互いに対向して両端を開閉するための支点を中間部で共有して合わさり、前記支点より一端側に傘を把持可能な把持部を他端側にレバーを有し、各把持部の開閉方向外側に各把持部を包囲するよう各把持部と一体的に１対の袋取付け部を有し、各レバーの端部に１対の支持部を有し、
前記バネは各把持部を閉じる方向に付勢するよう各把持材に設けられ、
前記取付け部は取付け箇所に取付け可能に前記把持材に設けられていることを、
特徴とする傘固定具。
【請求項２】
各袋取付け部は、各把持部の開閉方向に対し垂直方向に各把持部から間隔をあけ、各把持部との間に空間をあけて設けられ、
前記取付け部は前記把持材にひもで取り付けられて平面に吸着可能な吸盤から成ることを、
特徴とする請求項１記載の傘固定具。
【発明の詳細な説明】
【０００１】
【発明の属する技術分野】
本発明は、雨で濡れた傘を玄関などに置いておくための傘固定具に関する。
【０００２】
【従来の技術】
雨で濡れた傘は、そのまま玄関に立てかけておくと、傘から流れ出す水滴で玄関の床を濡らしてしまう。これを防ぐため、従来、雨で濡れた傘は、傘立てに入れて玄関などに置いておくのが一般的である。
また、従来の技術として、特開平１１−２１３号公報、実開昭５７−１９８９１６号公報、実開昭６３−２０２３７６号公報、実開平２−１２４０１８号公報および実開平３−９６７２２号公報に示すように傘を袋に収容することにより周囲が雨で濡れるのを防ぐものがある。
【０００３】
【発明が解決しようとする課題】
しかしながら、従来用いられる傘立ては、場所をとるため、狭い玄関では邪魔になるという課題があった。また、袋を用いた従来技術では、傘を濡らした水が傘の布から接した袋の外側を伝わって周囲を濡らすという課題があった。
【０００４】
本発明は、このような従来の課題に着目してなされたもので、置いた場所や周囲を濡らさず、また、場所をとらない傘固定具を提供することを目的としている。
【０００５】
【課題を解決するための手段】
上記目的を達成するために、本発明に係る傘固定具は、１対の把持材と、バネと、取付け部とを有し、各把持材は互いに対向して両端を開閉するための支点を中間部で共有して合わさり、前記支点より一端側に傘を把持可能な把持部を他端側にレバーを有し、各把持部の開閉方向外側に各把持部を包囲するよう各把持部と一体的に１対の袋取付け部を有し、各レバーの端部に１対の支持部を有し、前記バネは各把持部を閉じる方向に付勢するよう各把持材に設けられ、前記取付け部は取付け箇所に取付け可能に前記把持材に設けられていることを、特徴とする。
【０００６】
本発明に係る傘固定具は、傘を収容する場合、袋取付け部に傘を収容する袋を取り付け、取付け部を取付け箇所に取り付ける。１対のレバーをつまんでバネに抗して力を加え、１対の把持部を開く。各把持部の間に傘を配置して傘を袋に収容する。各レバーから手を離すと、傘はバネの力で各把持部により挟まれる。各支持部を玄関の壁などに当て、傘が縦方向に保たれるようにする。こうして、傘を袋の中に収容しておくことができる。
【０００７】
本発明に係る傘固定具では、傘が袋に収容されるため、傘に付いた水を袋の中に集め、置いた場所や周囲を濡らすのを防ぐことができる。袋取付け部は各把持部の開閉方向外側に各把持部を包囲するよう設けられているため、袋の中で各把持部により挟まれた傘が袋取付け部に張り付くことがない。このため、傘を濡らした水は、そのまま袋の中に落ちるか、各把持部に付着した後に袋の中に落ち、袋の外側を伝わって、置いた場所や周囲を濡らすのを防ぐことができる。また、傘は各把持部により挟まれるため、袋の中で広がることがなく、傘が袋の中で広がって袋を破いたり場所をとったりするのを防ぐことができる。さらに、傘を把持部により任意の位置で挟んで支持することができるため、袋の下端に傘の重量がかかって袋を破いて水が漏れるのを防ぐことができる。本発明に係る傘固定具は、従来の傘立てに比べて、場所をとらず、コンパクトに構成することができる
。
【０００８】
なお、袋取付け部には、袋の取付け取外しを容易にするため、自由に貼り付けたり剥がしたりすることができる粘着剤を設けておいてもよい。袋取付け部に取り付ける袋は、繰り返し使用可能な丈夫なものであっても、使い捨て可能な簡易なものであってもよい。１対の支持部は、壁面などを傷つけないよう柔軟な材質から成ることが好ましいが、加工を加えないレバーの端部自体から成ってもよい。
【０００９】
本発明に係る傘固定具では、各袋取付け部は、各把持部の開閉方向に対し垂直方向に各把持部から間隔をあけ、各把持部との間に空間をあけて設けられ、前記取付け部は前記把持材にひもで取り付けられて平面に吸着可能な吸盤から成ることが好ましい。
【００１０】
この場合、吸盤を玄関のドアや壁などに吸着させ、各袋取付け部が各把持部より上側に配置されるようにして、把持材をひもで吊り下げる。袋に傘を収容した状態で各支持部を玄関の壁などに当て、傘が縦方向に保たれるようにする。各袋取付け部は各把持部より上側に配置されるうえに各把持部との間に空間をあけて設けられるため、傘を濡らした水が袋の外側を伝わって置いた場所や周囲を濡らすのを効果的に防ぐことができる。この本発明に係る傘固定具は、使用しない場合には、吸盤を取付け箇所から外し、場所をとらず、コンパクトに収容することができ、携帯して持ち運ぶこともできる。
【００１１】
本発明に係る傘固定具で、取付け部は支持部に磁石を取り付けることにより構成されてもよい。この場合、玄関の鉄製のドアなどに磁石を吸着させて、本発明に係る傘固定具を取り付けることができる。
【００１２】
【発明の実施の形態】
以下、図面に基づき、本発明の実施の形態について説明する。
図１乃至図３は、本発明の実施の形態を示している。
図１に示すように、傘固定具は、１対の把持材１と、バネ２と、取付け部３とを有している。
【００１３】
１対の把持材１は、鋏または洗濯ばさみのような形状を有している。各把持材１は、互いに対向して両端を開閉するための支点４を中間部で共有して合わさっている。各把持材１は、支点４より一端側に傘Ｋを把持可能な把持部５を、他端側にレバー６を有している。図２に示すように、各把持部５は、閉じた状態で間に丸い空間を形成する。各把持材１は、各把持部５が閉じた状態でレバー６は開いている。各把持材１は、各把持部５の開閉方向外側に各把持部５を包囲するよう各把持部５と一体的に１対の袋取付け部７を有している。各袋取付け部７は、各把持部５の開閉方向に対し垂直方向に各把持部５から間隔Ａをあけ、各把持部５との間に空間Ｂをあけて設けられている。すなわち、各袋取付け部７は、各把持部５に対し上側に段差をなしている。各把持材１は、各レバー６の端部に１対の支持部８を有している。各支持部８は、取付け箇所の壁面などを傷つけないよう柔軟なクッション性のあるゴム状の球体から成る。
【００１４】
バネ２は、一部を切り欠いた金属製リングから成り、各把持材１のレバー６に形成された溝６ａを通って両端が把持部５の外側に当たっている。こうして、バネ２は、各把持部５を閉じる方向に付勢するよう各把持材１に設けられている。なお、バネ２は、各把持部５を閉じる方向に付勢するものであれば、他の構成を有していてもよい。
【００１５】
取付け部３は、把持材１にひも３ａで取り付けられて平面に吸着可能な吸盤３ｂから成っている。吸盤３ｂは、玄関のドアや壁などに吸着させて取り付けることができる。吸盤３ｂには、フック３ｃが取り付けられている。フック３ｃには、折り畳み傘などのストラップを引っ掛けることができる。
【００１６】
図１に示すように、傘固定具は、傘Ｋを収容する場合、袋取付け部７に傘Ｋを収容する袋Ｈを取り付け、取付け部３を下駄箱１０の戸の表面１１などに取り付ける。図３に示すように、１対のレバー６をつまんでバネ２に抗して力を加え、支点４を中心として１対の把持部５を開く。各把持部５の間に傘Ｋを配置して傘Ｋを袋Ｈに収容する。各レバー６から手を離すと、傘Ｋはバネ２の力で各把持部５により挟まれる。各支持部８を戸の表面１１に当て、傘Ｋが縦方向に保たれるようにする。傘Ｋが柄付き傘の場合には、柄の端Ｋａを下駄箱１０の上面１２などに引っ掛けると、把持材１に掛かる傘Ｋの重量の割合を減らすことができる。
【００１７】
また、吸盤３ｂを玄関のドアや壁などに吸着させ、各袋取付け部７が各把持部５より上側に配置されるようにして、把持材１をひも３ａで吊り下げる。袋Ｈに傘Ｋを収容した状態で各支持部８を玄関の壁などに当て、傘Ｋが縦方向に保たれるようにする。こうして、傘Ｋを袋Ｈの中に収容しておくことができる。
【００１８】
傘固定具では、傘Ｋが袋Ｈに収容されるため、傘Ｋに付いた水を袋Ｈの中に集め、置いた場所や周囲を濡らすのを防ぐことができる。袋取付け部７は各把持部５の開閉方向外側に各把持部５を包囲するよう設けられているため、袋Ｈの中で各把持部５により挟まれた傘Ｋが袋取付け部７に張り付くことがない。このため、傘Ｋを濡らした水は、そのまま袋Ｈの中に落ちるか、各把持部５に付着した後に袋Ｈの中に落ち、袋Ｈの外側を伝わって、置いた場所や周囲を濡らすのを防ぐことができる。特に、各袋取付け部７は各把持部５より上側に配置されるうえに各把持部５との間に空間Ｂをあけて設けられるため、傘Ｋを濡らした水が袋Ｈの外側を伝わって、置いた場所や周囲を濡らすのを効果的に防ぐことができる。
【００１９】
また、傘Ｋは各把持部５により挟まれるため、袋Ｈの中で広がることがなく、傘Ｋが袋Ｈの中で広がって袋Ｈを破いたり場所をとったりするのを防ぐことができる。さらに、傘Ｋを把持部５により任意の位置で挟んで支持することができるため、袋Ｈの下端に傘Ｋの重量がかかって袋Ｈを破いて水が漏れるのを防ぐことができる。
【００２０】
傘固定具は、従来の傘Ｋ立てに比べて、場所をとらず、コンパクトに構成することができる。また、傘固定具は、使用しない場合には、吸盤３ｂを取付け箇所から外し、コンパクトに収容することができ、携帯して持ち運ぶこともできる。
【００２１】
なお、図４に示すように、他の実施の形態の傘固定具で、取付け部は各レバー６の端部の支持部として磁石８ａを取り付けることにより構成されてもよい。磁石８ａは、取付け箇所を傷つけないようゴムまたはスポンジラバーのカバー８ｂにより表面を覆われている。この場合、玄関の鉄製のドアなどに磁石８ａを吸着させて、傘固定具を取り付けることができる。傘固定具の取付け箇所には、予め鉄板などを張り付けておいてもよい。下駄箱１０の戸の表面１１に鉄板を張り付けた場合、傘Ｋが柄付き傘Ｋのときには、柄の端Ｋａを下駄箱１０の上面１２などに引っ掛けると、把持材１に掛かる傘Ｋの重量の割合を減らすことができる。このため、磁石８ａの吸着力が傘Ｋを支持できるほど強くない場合でも、傘Ｋを下駄箱１０に取り付けておくことができる。この傘固定具でも、さらに吸盤３ｂおよびひも３ａを有していてもよい。
【００２２】
【発明の効果】
本発明によれば、置いた場所や周囲を濡らさず、また、場所をとらない傘固定具を提供することができる。
【図面の簡単な説明】
【図１】本発明の実施の形態の傘固定具の使用状態を示す断面図である。
【図２】図１に示す傘固定具の平面図である。
【図３】図１に示す傘固定具の動作方向を示す要部平面図である。
【図４】本発明の他の実施の形態の傘固定具の要部を示す断面図である。
【符号の説明】
１  把持材
２  バネ
３  取付け部
４  支点
５  把持部
６  レバー
７  袋取付け部
８  支持部
【図１】
0003792143.tif 000002
【図２】
0003792143.tif 000003
【図３】
0003792143.tif 000004
【図４】
0003792143.tif 000005